(57)【要約】【課題】閲覧者の望んでいない拡大表示を抑制できる、表示処理装置、表示処理方法およびプログラムを提供する。【解決手段】表示処理装置１０は、画面データ生成部１１、動作判定部１２、閲覧状況特定部１３を備える。画面データ生成部１１は、画面データを生成し、生成した画面データを表示装置２０へ出力する。動作判定部１２は、撮影装置３０から取得した閲覧者４０の画像データに基づいて、閲覧者４０がコンテンツの拡大表示を求める動作を行っているか否かを判定する。閲覧状況特定部１３は、撮影装置３０から取得した閲覧者４０の画像データに基づいて、閲覧者４０の閲覧状況を特定する。画面データ生成部１１は、閲覧者４０がコンテンツの拡大表示を求める動作を行っていると判定され、かつ閲覧者４０の閲覧状況が所定の条件を満たしている場合に、画面上のコンテンツを拡大表示するための画面データを生成する。【選択図】図１
2017181683.tif 000002
【特許請求の範囲】
【請求項１】
表示装置によって表示される画面のコンテンツを拡大表示するための表示処理装置であって、
コンテンツを含む画面の画面データを生成する画面データ生成部と、
前記画面の閲覧者を撮影する撮影装置から取得した、前記閲覧者の画像データに基づいて、前記閲覧者がコンテンツの拡大表示を求める動作を行っているか否かを判定する動作判定部と、
前記撮影装置から取得した前記閲覧者の前記画像データに基づいて、前記閲覧者の閲覧状況を特定する閲覧状況特定部と、
を備え、
前記画面データ生成部は、前記動作判定部によって前記閲覧者がコンテンツの拡大表示を求める動作を行っていると判定され、かつ前記閲覧状況特定部によって特定された閲覧状況が所定の条件を満たしている場合に、前記コンテンツを拡大表示するための画面データを生成する、表示処理装置。
【請求項２】
前記閲覧状況特定部は、前記画像データに基づいて前記閲覧者の視線を特定し、
前記画面データ生成部は、前記動作判定部によって前記閲覧者がコンテンツの拡大表示を求める動作を行っていると判定され、かつ前記表示装置によって表示されたコンテンツが、前記閲覧状況特定部によって特定された前記閲覧者の視線上に存在する場合に、そのコンテンツを拡大表示するための画面データを生成する、請求項１に記載の表示処理装置。
【請求項３】
前記動作判定部は、前記撮影装置から取得した複数の閲覧者の画像データに基づいて、各閲覧者について、コンテンツの拡大表示を求める動作を行っているか否かを判定し、
前記閲覧状況特定部は、前記動作判定部の判定結果に基づいて、前記複数の閲覧者のうちの何人の閲覧者がコンテンツの拡大表示を求める動作を行っているのかを特定し、
前記画面データ生成部は、前記閲覧状況特定部によって特定された、前記拡大表示を求める動作を行っている閲覧者の人数が、所定の条件を満たしている場合に、前記表示装置によって表示されたコンテンツを拡大表示するための画面データを生成する、請求項１または２に記載の表示処理装置。
【請求項４】
前記閲覧状況特定部は、前記複数の閲覧者の画像データに基づいて閲覧者ごとに視線を特定し、
前記画面データ生成部は、前記閲覧状況特定部によって特定された前記複数の閲覧者の視線に基づいて、前記表示装置によって表示されたコンテンツを拡大表示するための画面データを生成する、請求項３に記載の表示処理装置。
【請求項５】
表示装置によって表示される画面のコンテンツを拡大表示するための表示処理方法であって、
（ａ）コンテンツを含む画面を表示するための画面データを生成する、ステップと、
（ｂ）前記画面の閲覧者を撮影する撮影装置から前記閲覧者の画像データを取得する、ステップと、
（ｃ）前記（ｂ）のステップで取得した前記閲覧者の画像データに基づいて、前記閲覧者がコンテンツの拡大表示を求める動作を行っているか否かを判定する、ステップと、
（ｄ）前記（ｂ）のステップで取得した前記閲覧者の前記画像データに基づいて、前記閲覧者の閲覧状況を特定する、ステップと、
（ｅ）前記（ｃ）のステップで前記閲覧者がコンテンツの拡大表示を求める動作を行っていると判定され、かつ前記（ｄ）のステップで特定された閲覧状況が所定の条件を満たしている場合に、前記コンテンツを拡大表示するための画面データを生成する、ステップと、
を有する、表示処理方法。
【請求項６】
コンピュータによって、表示装置によって表示される画面のコンテンツを拡大表示するためのプログラムであって、
前記コンピュータに、
（ａ）コンテンツを含む画面を表示するための画面データを生成する、ステップと、
（ｂ）前記画面の閲覧者を撮影する撮影装置から前記閲覧者の画像データを取得する、ステップと、
（ｃ）前記（ｂ）のステップで取得した前記閲覧者の画像データに基づいて、前記閲覧者がコンテンツの拡大表示を求める動作を行っているか否かを判定する、ステップと、
（ｄ）前記（ｂ）のステップで取得した前記閲覧者の前記画像データに基づいて、前記閲覧者の閲覧状況を特定する、ステップと、
（ｅ）前記（ｃ）のステップで前記閲覧者がコンテンツの拡大表示を求める動作を行っていると判定され、かつ前記（ｄ）のステップで特定された閲覧状況が所定の条件を満たしている場合に、前記コンテンツを拡大表示するための画面データを生成する、ステップと、
を実行させる、プログラム。
【発明の詳細な説明】
【技術分野】
【０００１】
本発明は、表示処理装置、表示処理方法およびこれらを実現するためのプログラムに関する。具体的には、本発明は、表示装置によって表示される画面を、必要に応じて拡大して表示することが可能な表示処理装置、表示処理方法およびこれらを実現するためのプログラムに関する。
【背景技術】
【０００２】
表示装置の画面において、画像または文字等のコンテンツが小さく表示されていると、画面の閲覧者は、そのコンテンツを見づらいと感じることがある。特に、視力が低い閲覧者にとっては、画面に表示される文字を読み取ることができず、文書の内容を理解できないという問題が生じる場合がある。
【０００３】
表示装置が拡大表示機能を備えている場合、閲覧者が表示装置を操作して画像および文字等のコンテンツを拡大表示することで、コンテンツの見えにくさを解消できると考えられる。しかしながら、この場合、閲覧者が表示装置を操作しなければならず、手間がかかる。
【０００４】
また、閲覧者と表示装置の操作者とが異なる場合、閲覧者は、操作者にコンテンツの拡大表示を依頼する必要がある。この場合も、手間がかかる。
【０００５】
そこで、従来、閲覧者または操作者が表示装置を操作しなくても、画面に表示されたコンテンツを拡大できる技術が提案されている（例えば、特許文献１〜４参照）。
【０００６】
特許文献１に開示された情報表示システムでは、ＣＣＤカメラによって撮影されたユーザの画像に基づいて、画面に表示される文字情報または画像情報の表示形態が変更される。具体的には、特許文献１の情報表示システムでは、例えば、ユーザの画像に基づいてユーザと画面との距離が測定される。そして、ユーザが画面に近づいたときに、ユーザが低視力者であると判断され、画面上の文字が大きく表示される。
【０００７】
特許文献２に開示されたユーザ・インターフェイス装置では、デジタルカメラによって撮像された被写体の顔画像に基づいて、表示画面における表示の態様が変更される。具体的には、特許文献２のユーザ・インターフェイス装置では、例えば、ユーザの顔画像が、表示画面を見づらそうにしている顔になったと判断された場合に、表示されている数字が大きくされる。
【０００８】
特許文献３に開示された画像表示装置では、カメラによって撮影された画像情報に基づいて、表示部に表示されている情報が拡大表示される。具体的には、特許文献３の画像表示装置では、例えば、カメラによって撮影された画像情報に基づいて、顔が近づいたと判断された場合は、表示部の表示が拡大表示される。
【０００９】
特許文献４に開示された表示装置では、撮影部によって取得されたユーザの顔画像に基づいて、液晶パネルに表示される画像の表示態様が決定される。具体的には、特許文献４の表示装置では、例えば、ユーザが眉間にしわを寄せて液晶パネルを見ている場合には、液晶パネルに表示されているコンテンツが拡大される。
【先行技術文献】
【特許文献】
【００１０】
【特許文献１】特開２００６−０２３９５３号公報
【特許文献２】特開２００８−２３４４０１号公報
【特許文献３】特開２０１０−１６０２７４号公報
【特許文献４】特開２０１３−２２８４９０号公報
【発明の概要】
【発明が解決しようとする課題】
【００１１】
特許文献１〜４に開示された技術を利用すれば、閲覧者または他の操作者が表示装置を操作しなくても、表示装置の画面に表示されたコンテンツを拡大することができると考えられる。これにより、閲覧者は、表示装置を操作する手間または操作者に拡大表示を依頼する手間を省くことができる。
【００１２】
しかしながら、上記特許文献１〜４の技術では、閲覧者が望んでいない拡大表示が行われる場合がある。
【００１３】
本発明の目的の一例は、閲覧者の望まないコンテンツの拡大表示を抑制することができる、表示処理装置、表示処理方法およびプログラムを提供することにある。
【課題を解決するための手段】
【００１４】
上記目的を達成するため、本発明の一側面における表示処理装置は、表示装置によって表示される画面のコンテンツを拡大表示するための表示処理装置であって、
コンテンツを含む画面を表示するための画面データを生成する画面データ生成部と、
前記画面の閲覧者を撮影する撮影装置から取得した、前記閲覧者の画像データに基づいて、前記閲覧者がコンテンツの拡大表示を求める動作を行っているか否かを判定する動作判定部と、
前記撮影装置から取得した前記閲覧者の前記画像データに基づいて、前記閲覧者の閲覧状況を特定する閲覧状況特定部と、
を備え、
前記画面データ生成部は、前記動作判定部によって前記閲覧者がコンテンツの拡大表示を求める動作を行っていると判定され、かつ前記閲覧状況特定部によって特定された閲覧状況が所定の条件を満たしている場合に、前記コンテンツを拡大表示するための画面データを生成する、ことを特徴とする。
【００１５】
また、上記目的を達成するため、本発明の一側面における表示処理方法は、表示装置によって表示される画面のコンテンツを拡大表示するための表示処理方法であって、
（ａ）コンテンツを含む画面を表示するための画面データを生成する、ステップと、
（ｂ）前記画面の閲覧者を撮影する撮影装置から前記閲覧者の画像データを取得する、ステップと、
（ｃ）前記（ｂ）のステップで取得した前記閲覧者の画像データに基づいて、前記閲覧者がコンテンツの拡大表示を求める動作を行っているか否かを判定する、ステップと、
（ｄ）前記（ｂ）のステップで取得した前記閲覧者の前記画像データに基づいて、前記閲覧者の閲覧状況を特定する、ステップと、
（ｅ）前記（ｃ）のステップで前記閲覧者がコンテンツの拡大表示を求める動作を行っていると判定され、かつ前記（ｄ）のステップで特定された閲覧状況が所定の条件を満たしている場合に、前記コンテンツを拡大表示するための画面データを生成する、ステップと、
を有する、ことを特徴とする。
【００１６】
また、上記目的を達成するため、本発明の一側面におけるプログラムは、コンピュータによって、表示装置によって表示される画面のコンテンツを拡大表示するためのプログラムであって、
前記コンピュータに、
（ａ）コンテンツを含む画面を表示するための画面データを生成する、ステップと、
（ｂ）前記画面の閲覧者を撮影する撮影装置から前記閲覧者の画像データを取得する、ステップと、
（ｃ）前記（ｂ）のステップで取得した前記閲覧者の画像データに基づいて、前記閲覧者がコンテンツの拡大表示を求める動作を行っているか否かを判定する、ステップと、
（ｄ）前記（ｂ）のステップで取得した前記閲覧者の前記画像データに基づいて、前記閲覧者の閲覧状況を特定する、ステップと、
（ｅ）前記（ｃ）のステップで前記閲覧者がコンテンツの拡大表示を求める動作を行っていると判定され、かつ前記（ｄ）のステップで特定された閲覧状況が所定の条件を満たしている場合に、前記コンテンツを拡大表示するための画面データを生成する、ステップと、
を実行させる、ことを特徴とする。
【発明の効果】
【００１７】
以上のように本発明の構成によれば、閲覧者の望まないコンテンツの拡大表示を抑制することができる。
【図面の簡単な説明】
【００１８】
【図１】図１は、本発明の一実施形態に係る表示処理装置の概略構成を示すブロック図である。
【図２】図２は、表示処理装置の具体的な構成を示すブロック図である。
【図３】図３は、表示装置によって表示された画面の一例を示す図である。
【図４】図４は、表示処理装置の動作を示すフロー図である。
【図５】図５は、表示処理装置の変形例を示すブロック図である。
【図６】図６は、コンピュータの構成の一例を示す図である。
【発明を実施するための形態】
【００１９】
以下、本発明の実施形態に係る表示処理装置、表示方法およびプログラムについて、図１から図６を参照しながら説明する。
【００２０】
［装置構成］
図１は、本発明の一実施形態に係る表示処理装置１０の概略構成を示すブロック図である。詳細は後述するが、表示処理装置１０は、コンテンツデータ（画像データおよび／またはテキストデータ）を含む画面データを生成し、表示装置２０へ出力する。表示装置２０は、表示処理装置１０から出力された画面データに基づいて、画面を表示する。表示装置２０によって表示される画面には、画像および／または文字を含むコンテンツが表示される。また、表示処理装置１０は、撮影装置３０から、表示装置２０によって表示された画面を閲覧する閲覧者４０の画像データを取得する。本実施形態では、撮影装置３０は、例えば、閲覧者４０の顔を撮影し、顔の画像データを表示処理装置１０へ出力する。表示処理装置１０は、取得した閲覧者４０の画像データに基づいて、表示装置２０によって表示されているコンテンツを拡大表示する。表示装置２０は、例えば、液晶表示パネル、または有機ＥＬ（Electro Luminescence）パネル等のパネルディスプレーであってもよく、プロジェクタであってもよい。また、撮影装置３０は、例えば、カメラである。なお、表示装置２０がプロジェクタの場合には、表示装置２０によって表示された画面とは、プロジェクタによって投影された画面を意味する。
【００２１】
本実施形態に係る表示処理装置１０は、例えば、デスクトップ型およびラップトップ型等のパーソナルコンピュータにおいて利用されてもよく、スマートフォンおよびタブレット型端末等の携帯型の情報端末装置において利用されてもよい。詳細な説明は省略するが、表示処理装置１０が携帯型の情報端末装置において利用される場合には、例えば、表示処理装置１０は、表示装置２０および撮影装置３０とともに、一つの情報端末装置に組み込まれる。
【００２２】
以下、表示処理装置１０の各構成要素について説明する。図１に示すように、表示処理装置１０は、画面データ生成部１１、動作判定部１２および閲覧状況特定部１３を備える。
【００２３】
画面データ生成部１１は、画像データおよび／またはテキストデータを含む画面データを生成し、生成した画面データを表示装置２０へ出力する。これにより、表示装置２０は、コンテンツ（画像および／または文字）を含む画面を表示する。詳細な説明は省略するが、画面データ生成部１１は、例えば、撮影装置３０によって撮影された画像、ネットワークを介して外部装置から入力された情報、およびユーザが表示処理装置１０に入力した情報等に基づいて、画面データを生成する。
【００２４】
動作判定部１２は、撮影装置３０から取得した閲覧者４０の画像データに基づいて、閲覧者４０がコンテンツの拡大表示を求める動作を行っているか否かを判定する。閲覧状況特定部１３は、撮影装置３０から取得した閲覧者４０の画像データに基づいて、閲覧者４０の閲覧状況を特定する。動作判定部１２および閲覧状況特定部１３の処理については、後述する。
【００２５】
本実施形態では、画面データ生成部１１は、閲覧者４０がコンテンツの拡大表示を求める動作を行っていると動作判定部１２によって判定され、かつ閲覧状況特定部１３によって特定された閲覧状況が所定の条件を満たしている場合に、画面上のコンテンツを拡大表示するための画面データ（以下、コンテンツ拡大用画面データとも記す。）を生成する。
【００２６】
以上のように、本実施形態では、閲覧者４０の動作だけでなく、閲覧者４０の閲覧状況も加味して、画面上のコンテンツを拡大するか否かが判別される。これにより、閲覧者４０の望まないコンテンツの拡大表示を抑制することができる。
【００２７】
次に、本実施形態に係る表示処理装置の構成について具体的に説明する。図２は、本実施形態に係る表示処理装置の具体的な構成を示すブロック図である。
【００２８】
図２を参照して、本実施形態に係る表示処理装置１０は、上述の画面データ生成部１１、動作判定部１２および閲覧状況特定部１３に加えてさらに、画像データ取得部１４および拡大判定部１５を備える。
【００２９】
画像データ取得部１４は、撮影装置３０から閲覧者４０の顔の画像データを取得する。画像データ取得部１４は、取得した画像データを動作判定部１２および閲覧状況特定部１３へ出力する。
【００３０】
動作判定部１２は、画像データ取得部１４から取得した画像データに基づいて、閲覧者４０が拡大表示を求める動作を行っているか否かを判定し、判定結果を拡大判定部１５へ出力する。本実施形態では、動作判定部１２は、予め設定された特定の動作を閲覧者４０が行った場合に、閲覧者４０が拡大表示を求める動作を行っていると判定する。特定の動作としては、例えば、閲覧者４０がメガネを外す動作、閲覧者４０がメガネを上下にずらす動作、閲覧者４０が目を細める動作、および閲覧者４０が表示装置２０から離れる動作等が挙げられる。本実施形態では、動作判定部１２は、例えば、図示しない記憶部に予め記憶された顔画像の特徴点と、撮影装置３０によって撮影された閲覧者４０の顔画像とを比較することによって、閲覧者４０が特定の動作を行っているか否かを判定する。なお、動作判定部１２は、公知の種々の画像認識技術を用いて、閲覧者４０の動作を判定することができる。したがって、動作判定部１２の判定動作の詳細な説明は省略する。
【００３１】
閲覧状況特定部１３は、画像データ取得部１４から取得した画像データに基づいて、閲覧者４０の閲覧状況を特定し、特定した閲覧状況を拡大判定部１５へ出力する。本実施形態では、閲覧状況特定部１３は、上記画像データに基づいて、閲覧者４０の視線を特定する。なお、閲覧状況特定部１３は、公知の種々の視線検出技術を用いて、閲覧者４０の視線を特定することができる。したがって、閲覧状況特定部１３の特定動作の詳細な説明は省略する。
【００３２】
拡大判定部１５は、動作判定部１２の判定結果および閲覧状況特定部１３によって特定された閲覧状況に基づいて、表示装置２０によって表示された画面上のコンテンツを拡大するか否かを判定し、判定結果を画面データ生成部１１へ出力する。本実施形態では、閲覧者４０がコンテンツの拡大表示を求める動作を行っていると動作判定部１２によって判定され、かつ表示装置２０によって表示されたコンテンツが、閲覧状況特定部１３によって特定された閲覧者４０の視線上に存在する場合に、拡大判定部１５は、そのコンテンツを拡大して表示すると判定する。図３は、表示装置２０によって表示された画面の一例を示す図である。図３に示した画面５０上には、コンテンツＡ，Ｂ，Ｃが表示されている。本実施形態では、例えば、閲覧者４０の視線上にコンテンツＣが存在する場合には、拡大判定部１５は、図３に点線で示すように、コンテンツＣを拡大して表示すると判定する。なお、本実施形態では、拡大判定部１５は、例えば、閲覧者４０の視線が画面から外れている場合には、コンテンツの拡大表示を中止すると判定してもよい。
【００３３】
図２を参照して、画面データ生成部１１は、拡大判定部１５がコンテンツを拡大して表示すると判定した場合、その判定結果に従って、コンテンツを拡大表示するための画面データ（コンテンツ拡大用画面データ）を生成する。そして、画面データ生成部１１は、生成したコンテンツ拡大用画面データを、表示装置２０へ出力する。これにより、例えば、図３に破線で示したように、表示装置２０によって表示される画面５０において、コンテンツＣが拡大して表示される。
【００３４】
以上のように、本実施形態では、閲覧者４０がコンテンツの拡大表示を求める動作を行っていると判定され、かつ表示装置２０によって表示されたコンテンツが閲覧者４０の視線上に存在する場合に、そのコンテンツを拡大表示するための画面データが生成される。これにより、閲覧者４０が見ているコンテンツを確実に拡大表示することができる。したがって、例えば、閲覧者４０が見ていないコンテンツのみが拡大表示されることを防止することができる。また、例えば、閲覧者４０が見ていないコンテンツを中心として画面が拡大表示されることを防止することができる。これにより、コンテンツの拡大表示時に、閲覧者４０が見ているコンテンツの一部または全部が、画面から消えてしまうことを防止することができる。これらの結果、閲覧者４０の望まないコンテンツの拡大表示を抑制することができる。
【００３５】
なお、図３においては、閲覧者４０の視線上に存在するコンテンツのみを拡大する場合について説明したが、コンテンツの拡大方法は上述の例に限定されない。例えば、閲覧者４０の視線上に存在するコンテンツの全体が画面内に収まるように、閲覧者４０の視線上に存在するコンテンツとともに、他のコンテンツも拡大表示してもよい。
【００３６】
また、表示装置２０において複数の画面が表示されるように、画面データ生成部１１が、複数の画面それぞれの画面データを生成してもよい。この場合、例えば、拡大判定部１５は、閲覧者４０の視線上の画面に表示されたコンテンツを拡大表示し、閲覧者４０の視線から外れている画面に表示されたコンテンツの拡大表示を中止すると判定してもよい。そして、画面データ生成部１１は、拡大判定部１５の判定結果に基づいて、画面ごとに、画面データを生成してもよい。この場合、閲覧者４０が見ている画面のコンテンツを確実に拡大表示することができる。したがって、例えば、閲覧者４０が見ていない画面のコンテンツのみが拡大表示されることを防止することができる。これにより、閲覧者４０の望まないコンテンツの拡大表示を抑制することができる。
【００３７】
また、画面データ生成部１１が、複数の表示装置２０の画面データを生成してもよい。この場合、例えば、拡大判定部１５は、閲覧者４０の視線上の表示装置２０に表示されたコンテンツを拡大表示し、閲覧者４０の視線から外れている表示装置２０に表示されたコンテンツの拡大表示を中止すると判定してもよい。そして、画面データ生成部１１は、拡大判定部１５の判定結果に基づいて、表示装置２０ごとに、画面データを生成してもよい。この場合、閲覧者４０が見ている表示装置２０の画面のコンテンツを確実に拡大表示することができる。したがって、例えば、閲覧者４０が見ていない表示装置２０の画面のコンテンツのみが拡大表示されることを防止することができる。これにより、閲覧者４０の望まないコンテンツの拡大表示を抑制することができる。
【００３８】
［装置動作］
次に、本実施形態に係る表示処理装置の動作について、図４を用いて説明する。図４は、表示処理装置１０の動作を示すフロー図である。以下の説明においては、図１および図２を適宜参酌する。また、本実施形態では、表示処理装置１０を動作させることによって、表示処理方法が実施される。よって、本実施形態における表示処理方法の説明は、以下の表示処理装置１０の動作説明に代える。
【００３９】
図４を参照して、表示処理装置１０において、まず、画面データ生成部１１は、コンテンツを含む画面を表示するための画面データを生成する（ステップＳ１）。次に、画像データ取得部１４は、撮影装置３０から閲覧者４０の画像データを取得する（ステップＳ２）。
【００４０】
次に、動作判定部１２は、ステップＳ２において取得した閲覧者４０の画像データに基づいて、閲覧者４０が、コンテンツの拡大表示を求める動作を行っているか否かを判定する（ステップＳ３）。閲覧者４０がコンテンツの拡大表示を求める動作を行っていないと判定された場合、表示処理装置１０は、ステップＳ２の処理に戻る。
【００４１】
ステップＳ３において、閲覧者４０がコンテンツの拡大表示を求める動作を行っていると判定された場合、閲覧状況特定部１３は、ステップＳ２において取得した閲覧者４０の画像データに基づいて、閲覧者４０の閲覧状況を特定する（ステップＳ４）。本実施形態では、閲覧状況特定部１３は、閲覧者４０の視線を特定する。
【００４２】
次に、拡大判定部１５は、ステップＳ４において特定された閲覧者４０の閲覧状況が、所定の条件を満たしているか否かを判定する（ステップＳ５）。本実施形態では、拡大判定部１５は、表示装置２０において表示された画面において、閲覧者４０の視線上にコンテンツが存在するか否かを判別する。なお、閲覧者４０の視線上に存在するか否かが判定されるコンテンツとは、ステップＳ１において生成された画面データに基づいて表示されるコンテンツである。
【００４３】
本実施形態では、ステップＳ５において、閲覧者４０の視線上にコンテンツが存在していない場合（コンテンツが視線から外れている場合）、拡大判定部１５は、閲覧状況が所定の条件を満たしていないと判定する。一方、閲覧者４０の視線上にコンテンツが存在している場合、拡大判定部１５は、閲覧状況が所定の条件を満たしていると判定する。
【００４４】
ステップＳ５において、閲覧状況が所定の条件を満たしていないと判定された場合、表示処理装置１０は、ステップＳ２の処理に戻る。一方、閲覧状況が所定の条件を満たしていると判定された場合、画面データ生成部１１は、コンテンツ拡大用画面データを生成し、表示装置２０へ出力する（ステップＳ６）。これにより、表示装置２０によって表示された画面において、所定のコンテンツが拡大される。
【００４５】
［変形例］
図５は、表示処理装置の変形例を示すブロック図である。なお、以下においては、図２を用いて説明した表示処理装置１０と異なる機能を有する構成について主に説明し、図２の表示処理装置１０と同様の機能を有する構成については説明を省略する。また、以下においては、複数の閲覧者４０によって表示装置２０に表示された画面が閲覧されている場合について説明する。
【００４６】
図５を参照して、本実施形態に係る表示処理装置１０ａは、上述の表示処理装置１０と同様に、画面データ生成部１１、動作判定部１２、閲覧状況特定部１３、画像データ取得部１４および拡大判定部１５を備えている。
【００４７】
本実施形態では、画像データ取得部１４は、撮影装置３０から、複数の閲覧者４０の画像データを取得し、動作判定部１２へ出力する（図４のステップＳ２の処理に対応。）。動作判定部１２は、複数の閲覧者４０の画像データに基づいて、各閲覧者４０について、コンテンツの拡大表示を求める動作を行っているか否かを判定する（図４のステップＳ３の処理に対応。）。動作判定部１２は、閲覧者４０ごとの判定結果を、閲覧状況特定部１３へ出力する。
【００４８】
閲覧状況特定部１３は、動作判定部１２の判定結果に基づいて、複数の閲覧者４０のうちの何人の閲覧者４０がコンテンツの拡大表示を求める動作を行っているのかを特定する（図４のステップＳ４の処理に対応。）。閲覧状況特定部１３は、特定した結果を拡大判定部１５へ出力する。
【００４９】
拡大判定部１５は、閲覧状況特定部１３によって特定された閲覧状況が、所定の条件を満たしているか否かを判定する（図４のステップＳ５の処理に対応。）。本実施形態では、拡大判定部１５は、例えば、複数の閲覧者４０の全人数に対する、コンテンツの拡大表示を求める動作を行っている閲覧者４０の人数の割合が、所定の閾値（例えば、５割）以上の場合に、上記閲覧状況が所定の条件を満たしていると判定する。
【００５０】
複数の閲覧者４０の閲覧状況が所定の条件を満たしていると拡大判定部１５によって判定された場合、画面データ生成部１１は、画面上のコンテンツを拡大表示するための画面データ（コンテンツ拡大用画面データ）を生成する（図４のステップＳ６の処理に対応。）。
【００５１】
以上のように、本実施形態では、複数の閲覧者４０の閲覧状況が所定の条件を満たしている場合に、コンテンツを拡大表示するための画面データが生成される。これにより、例えば、複数の閲覧者４０のうち、大多数の閲覧者４０がコンテンツの拡大表示を求めていない場合に、コンテンツが拡大表示されることを防止することができる。その結果、閲覧者４０の望まないコンテンツの拡大表示を抑制することができる。
【００５２】
なお、閲覧状況特定部１３は、表示処理装置１０と同様に、複数の閲覧者４０の視線をそれぞれ検出してもよい。そして、画面データ生成部１１は、例えば、より多くの閲覧者４０の視線上に存在するコンテンツ（より多くの閲覧者４０が見ているコンテンツ）を拡大表示するように、コンテンツ拡大用画面データを生成してもよい。また、画面データ生成部１１は、例えば、複数のコンテンツを拡大表示するためのコンテンツ拡大用画面データを生成する場合、コンテンツを通る視線の数（コンテンツを見ている閲覧者４０の数）に応じてコンテンツの拡大量を調整してもよい。
【００５３】
また、表示装置２０において複数の画面が表示されるように、画面データ生成部１１が、複数の画面それぞれの画面データを生成してもよい。この場合、閲覧状況特定部１３は、表示処理装置１０と同様に、複数の閲覧者４０の視線をそれぞれ検出してもよい。そして、画面データ生成部１１は、例えば、より多くの閲覧者４０の視線上に存在する画面に表示されたコンテンツを拡大表示するように、コンテンツ拡大用画面データを生成してもよい。
【００５４】
また、画面データ生成部１１が、複数の表示装置２０の画面データを生成してもよい。この場合も、閲覧状況特定部１３は、表示処理装置１０と同様に、複数の閲覧者４０の視線をそれぞれ検出してもよい。そして、画面データ生成部１１は、例えば、より多くの閲覧者４０の視線上に存在する表示装置２０に表示されたコンテンツを拡大表示するように、コンテンツ拡大用画面データを生成してもよい。
【００５５】
［プログラム］
本発明の実施形態におけるプログラムは、コンピュータに、図４に示すステップＳ１からステップＳ６を実行させるプログラムであれば良い。このプログラムをコンピュータにインストールし、実行することによって、本実施形態における表示処理装置および表示処理方法を実現することができる。この場合、コンピュータのＣＰＵ（Ｃｅｎｔｒａｌ  Ｐｒｏｃｅｓｓｉｎｇ  Ｕｎｉｔ）は、表示処理装置１０の画面データ生成部１１、動作判定部１２、閲覧状況特定部１３、画像データ取得部１４および拡大判定部１５として機能し、処理を行う。
【００５６】
また、本実施の形態におけるプログラムは、複数のコンピュータによって構築されたコンピュータシステムによって実行されても良い。この場合は、例えば、各コンピュータが、それぞれ、画面データ生成部１１、動作判定部１２、閲覧状況特定部１３、画像データ取得部１４および拡大判定部１５のいずれかとして機能しても良い。
【００５７】
ここで、本実施形態におけるプログラムを実行することによって、表示処理装置１０を実現するコンピュータについて図６を用いて説明する。図６は、本発明の実施形態における表示処理装置１０を実現するコンピュータの一例を示すブロック図である。なお、表示処理装置１０を実現するコンピュータは下記の構成に限定されず、情報端末装置に組み込まれたコンピュータであってもよい。
【００５８】
図６に示すように、コンピュータ１１０は、ＣＰＵ１１１と、メインメモリ１１２と、記憶装置１１３と、入力インターフェイス１１４と、表示コントローラ１１５と、データリーダ／ライタ１１６と、通信インターフェイス１１７とを備える。これらの各部は、バス１２１を介して、互いにデータ通信可能に接続される。
【００５９】
ＣＰＵ１１１は、記憶装置１１３に格納された、本実施形態におけるプログラム（コード）をメインメモリ１１２に展開し、これらを所定順序で実行することにより、各種の演算を実施する。メインメモリ１１２は、典型的には、ＤＲＡＭ（Ｄｙｎａｍｉｃ  Ｒａｎｄｏｍ  Ａｃｃｅｓｓ  Ｍｅｍｏｒｙ）等の揮発性の記憶装置である。また、本実施形態におけるプログラムは、コンピュータ読み取り可能な記録媒体１２０に格納された状態で提供される。なお、本実施形態におけるプログラムは、通信インターフェイス１１７を介して接続されたインターネット上で流通するものであっても良い。
【００６０】
また、記憶装置１１３の具体例としては、ハードディスクドライブの他、フラッシュメモリ等の半導体記憶装置が挙げられる。入力インターフェイス１１４は、ＣＰＵ１１１と、キーボードおよびマウスといった入力機器１１８との間のデータ伝送を仲介する。表示コントローラ１１５は、ディスプレイ装置１１９と接続され、ディスプレイ装置１１９での表示を制御する。
【００６１】
データリーダ／ライタ１１６は、ＣＰＵ１１１と記録媒体１２０との間のデータ伝送を仲介し、記録媒体１２０からのプログラムの読み出し、およびコンピュータ１１０における処理結果の記録媒体１２０への書き込みを実行する。通信インターフェイス１１７は、ＣＰＵ１１１と、他のコンピュータとの間のデータ伝送を仲介する。
【００６２】
また、記録媒体１２０の具体例としては、ＣＦ（Ｃｏｍｐａｃｔ  Ｆｌａｓｈ（登録商標））およびＳＤ（Ｓｅｃｕｒｅ  Ｄｉｇｉｔａｌ）等の汎用的な半導体記憶デバイス、フレキシブルディスク（Ｆｌｅｘｉｂｌｅ  Ｄｉｓｋ）等の磁気記憶媒体、又はＣＤ−ＲＯＭ（Ｃｏｍｐａｃｔ  Ｄｉｓｋ  Ｒｅａｄ  Ｏｎｌｙ  Ｍｅｍｏｒｙ）などの光学記憶媒体が挙げられる。
【００６３】
なお、本実施の形態における表示処理装置１０は、プログラムがインストールされたコンピュータではなく、各部に対応したハードウェアを用いることによっても実現可能である。更に、表示処理装置１０は、一部がプログラムで実現され、残りの部分がハードウェアで実現されていてもよい。
【００６４】
上述した実施の形態の一部又は全部は、以下に記載する（付記１）〜（付記１２）によって表現することができるが、以下の記載に限定されるものではない。
【００６５】
（付記１）
表示装置によって表示される画面のコンテンツを拡大表示するための表示処理装置であって、
コンテンツを含む画面の画面データを生成する画面データ生成部と、
前記画面の閲覧者を撮影する撮影装置から取得した、前記閲覧者の画像データに基づいて、前記閲覧者がコンテンツの拡大表示を求める動作を行っているか否かを判定する動作判定部と、
前記撮影装置から取得した前記閲覧者の前記画像データに基づいて、前記閲覧者の閲覧状況を特定する閲覧状況特定部と、
を備え、
前記画面データ生成部は、前記動作判定部によって前記閲覧者がコンテンツの拡大表示を求める動作を行っていると判定され、かつ前記閲覧状況特定部によって特定された閲覧状況が所定の条件を満たしている場合に、前記コンテンツを拡大表示するための画面データを生成する、表示処理装置。
【００６６】
（付記２）
前記閲覧状況特定部は、前記画像データに基づいて前記閲覧者の視線を特定し、
前記画面データ生成部は、前記動作判定部によって前記閲覧者がコンテンツの拡大表示を求める動作を行っていると判定され、かつ前記表示装置によって表示されたコンテンツが、前記閲覧状況特定部によって特定された前記閲覧者の視線上に存在する場合に、そのコンテンツを拡大表示するための画面データを生成する、付記１に記載の表示処理装置。
【００６７】
（付記３）
前記動作判定部は、前記撮影装置から取得した複数の閲覧者の画像データに基づいて、各閲覧者について、コンテンツの拡大表示を求める動作を行っているか否かを判定し、
前記閲覧状況特定部は、前記動作判定部の判定結果に基づいて、前記複数の閲覧者のうちの何人の閲覧者がコンテンツの拡大表示を求める動作を行っているのかを特定し、
前記画面データ生成部は、前記閲覧状況特定部によって特定された、前記拡大表示を求める動作を行っている閲覧者の人数が、所定の条件を満たしている場合に、前記表示装置によって表示されたコンテンツを拡大表示するための画面データを生成する、付記１または２に記載の表示処理装置。
【００６８】
（付記４）
前記閲覧状況特定部は、前記複数の閲覧者の画像データに基づいて閲覧者ごとに視線を特定し、
前記画面データ生成部は、前記閲覧状況特定部によって特定された前記複数の閲覧者の視線に基づいて、前記表示装置によって表示されたコンテンツを拡大表示するための画面データを生成する、付記３に記載の表示処理装置。
【００６９】
（付記５）
表示装置によって表示される画面のコンテンツを拡大表示するための表示処理方法であって、
（ａ）コンテンツを含む画面を表示するための画面データを生成する、ステップと、
（ｂ）前記画面の閲覧者を撮影する撮影装置から前記閲覧者の画像データを取得する、ステップと、
（ｃ）前記（ｂ）のステップで取得した前記閲覧者の画像データに基づいて、前記閲覧者がコンテンツの拡大表示を求める動作を行っているか否かを判定する、ステップと、
（ｄ）前記（ｂ）のステップで取得した前記閲覧者の前記画像データに基づいて、前記閲覧者の閲覧状況を特定する、ステップと、
（ｅ）前記（ｃ）のステップで前記閲覧者がコンテンツの拡大表示を求める動作を行っていると判定され、かつ前記（ｄ）のステップで特定された閲覧状況が所定の条件を満たしている場合に、前記コンテンツを拡大表示するための画面データを生成する、ステップと、
を有する、表示処理方法。
【００７０】
（付記６）
前記（ｄ）のステップでは、前記（ｂ）のステップで取得した画像データに基づいて前記閲覧者の視線を特定し、
前記（ｅ）のステップでは、前記（ｃ）のステップで前記閲覧者がコンテンツの拡大表示を求める動作を行っていると判定され、かつ前記表示装置によって表示されたコンテンツが、前記（ｄ）のステップで特定された前記閲覧者の視線上に存在する場合に、そのコンテンツを拡大表示するための画面データを生成する、付記５に記載の表示処理方法。
【００７１】
（付記７）
前記（ｂ）のステップでは、前記撮影装置から、複数の閲覧者の画像データを取得し、
前記（ｃ）のステップでは、前記（ｂ）のステップで取得した前記複数の閲覧者の画像データに基づいて、各閲覧者について、コンテンツの拡大表示を求める動作を行っているか否かを判定し、
前記（ｄ）のステップでは、前記（ｃ）のステップにおける判定結果に基づいて、前記複数の閲覧者のうちの何人の閲覧者がコンテンツの拡大表示を求める動作を行っているのかを特定し、
前記（ｅ）のステップでは、前記（ｄ）のステップで特定された、前記拡大表示を求める動作を行っている閲覧者の人数が、所定の条件を満たしている場合に、前記表示装置によって表示されたコンテンツを拡大表示するための画面データを生成する、付記５または６に記載の表示処理方法。
【００７２】
（付記８）
（ｆ）前記（ｂ）のステップで取得した前記複数の閲覧者の画像データに基づいて、閲覧者ごとに視線を特定する、ステップ、をさらに有し、
前記（ｅ）のステップでは、前記（ｆ）のステップで特定された前記複数の閲覧者の視線に基づいて、前記表示装置によって表示されたコンテンツを拡大表示するための画面データを生成する、付記７に記載の表示処理方法。
【００７３】
（付記９）
コンピュータによって、表示装置によって表示される画面のコンテンツを拡大表示するためのプログラムであって、
前記コンピュータに、
（ａ）コンテンツを含む画面を表示するための画面データを生成する、ステップと、
（ｂ）前記画面の閲覧者を撮影する撮影装置から前記閲覧者の画像データを取得する、ステップと、
（ｃ）前記（ｂ）のステップで取得した前記閲覧者の画像データに基づいて、前記閲覧者がコンテンツの拡大表示を求める動作を行っているか否かを判定する、ステップと、
（ｄ）前記（ｂ）のステップで取得した前記閲覧者の前記画像データに基づいて、前記閲覧者の閲覧状況を特定する、ステップと、
（ｅ）前記（ｃ）のステップで前記閲覧者がコンテンツの拡大表示を求める動作を行っていると判定され、かつ前記（ｄ）のステップで特定された閲覧状況が所定の条件を満たしている場合に、前記コンテンツを拡大表示するための画面データを生成する、ステップと、
を実行させる、プログラム。
【００７４】
（付記１０）
前記（ｄ）のステップでは、前記（ｂ）のステップで取得した画像データに基づいて前記閲覧者の視線を特定し、
前記（ｅ）のステップでは、前記（ｃ）のステップで前記閲覧者がコンテンツの拡大表示を求める動作を行っていると判定され、かつ前記表示装置によって表示されたコンテンツが、前記（ｄ）のステップで特定された前記閲覧者の視線上に存在する場合に、そのコンテンツを拡大表示するための画面データを生成する、付記９に記載のプログラム。
【００７５】
（付記１１）
前記（ｂ）のステップでは、前記撮影装置から、複数の閲覧者の画像データを取得し、
前記（ｃ）のステップでは、前記（ｂ）のステップで取得した前記複数の閲覧者の画像データに基づいて、各閲覧者について、コンテンツの拡大表示を求める動作を行っているか否かを判定し、
前記（ｄ）のステップでは、前記（ｃ）のステップにおける判定結果に基づいて、前記複数の閲覧者のうちの何人の閲覧者がコンテンツの拡大表示を求める動作を行っているのかを特定し、
前記（ｅ）のステップでは、前記（ｄ）のステップで特定された、前記拡大表示を求める動作を行っている閲覧者の人数が、所定の条件を満たしている場合に、前記表示装置によって表示されたコンテンツを拡大表示するための画面データを生成する、付記９または１０に記載のプログラム。
【００７６】
（付記１２）
（ｆ）前記（ｂ）のステップで取得した前記複数の閲覧者の画像データに基づいて、閲覧者ごとに視線を特定する、ステップ、をさらに前記コンピュータに実行させ、
前記（ｅ）のステップでは、前記（ｆ）のステップで特定された前記複数の閲覧者の視線に基づいて、前記表示装置によって表示されたコンテンツを拡大表示するための画面データを生成する、付記１１に記載のプログラム。
【産業上の利用可能性】
【００７７】
本発明は、スマートフォン、パーソナルコンピュータおよびプロジェクタ等によって表示されている画面上の特定のコンテンツを拡大表示する技術として好適に利用できる。
【符号の説明】
【００７８】
１０，１０ａ  表示処理装置
１１  画面データ生成部
１２  動作判定部
１３  閲覧状況特定部
１４  画像データ取得部
１５  拡大判定部
２０  表示装置
３０  撮影装置
４０  閲覧者
５０  画面
１１０  コンピュータ
１１１  ＣＰＵ
１１２  メインメモリ
１１３  記憶装置
１１４  入力インターフェイス
１１５  表示コントローラ
１１６  データリーダ／ライタ
１１７  通信インターフェイス
１１８  入力機器
１１９  ディスプレイ装置
１２０  記録媒体
１２１  バス
【図１】
2017181683.tif 000003
【図２】
2017181683.tif 000004
【図３】
2017181683.tif 000005
【図４】
2017181683.tif 000006
【図５】
2017181683.tif 000007
【図６】
2017181683.tif 000008